(57)【要約】【課題】コンテンツの送信装置を切り替え可能な構成において、再生装置における安定したコンテンツ再生を実現する。【解決手段】放送波のコンテンツをＩＰパケットに含めて再送信する複数のＩＰ再送信装置を備えるＩＰ再送信システムにおいて、運用系から待機系の前記ＩＰ再送信装置へ再送信を切り替える切り替え方法は、各前記ＩＰ再送信装置において取得され得る同期情報に基づく第１のカウント値と、前記コンテンツの処理タイミングを示す第２のカウント値との差分を含むタイミング情報を前記運用系から前記待機系の前記ＩＰ再送信装置に与えるステップと、所定のタイミングにおいて前記運用系から前記待機系の前記ＩＰ再送信装置へ前記再送信を切り替えるステップと、切り替え先の前記ＩＰ再送信装置が、前記タイミング情報に基づく前記処理タイミングを前記ＩＰパケットに含めて送信するステップとを含む。【選択図】図９
2020170914.tif 000002
【特許請求の範囲】
【請求項１】
放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、
前記運用系のＩＰ再送信装置が受信している放送波の周波数に前記待機系のＩＰ再送信装置が受信する放送波の周波数を合わせるステップと、
前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記待機系のＩＰ再送信装置に与えるステップと、
所定のタイミングにおいて、前記運用系のＩＰ再送信装置から前記待機系のＩＰ再送信装置へ前記コンテンツの再送信を切り替えるステップと、
切り替え先の前記ＩＰ再送信装置が、与えられた前記タイミング情報に基づく前記処理タイミングを前記ＩＰパケットに含めて送信するステップとを含む、切り替え方法。
【請求項２】
前記第１のカウント値のカウント周波数および前記第２のカウント値のカウント周波数が異なり、
前記タイミング情報は、さらに、前記差分の算出元である前記第１のカウント値を含み、
前記切り替え方法は、さらに、
切り替え先の前記ＩＰ再送信装置が、前記タイミング情報に含まれる前記差分および前記第１のカウント値と、自己が取得した前記同期情報に基づくカウント値とに基づいて、前記処理タイミングを算出するステップを含む、請求項１に記載の切り替え方法。
【請求項３】
前記同期情報は、前記放送波に含まれるＮＴＰ（Ｎｅｔｗｏｒｋ  Ｔｉｍｅ  Ｐｒｏｔｏｃｏｌ）データであり、
前記処理タイミングは、ＴＴＳ（Ｔｉｍｅ−ｓｔａｍｐｅｄ  ＴＳ）パケットに含まれるタイムスタンプである、請求項１または請求項２に記載の切り替え方法。
【請求項４】
分配器から同じ放送波を受信し、前記放送波に含まれるコンテンツをＩＰパケットに含めて再送信する複数のＩＰ再送信装置と、
制御装置とを備え、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記待機系のＩＰ再送信装置は、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記制御装置を介して取得し、
前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、
切り替え先の前記ＩＰ再送信装置は、与えられた前記タイミング情報に基づく前記処理タイミングを前記ＩＰパケットに含めて送信する、ＩＰ再送信システム。
【請求項５】
放送波を受信し、前記放送波に含まれるコンテンツをＩＰパケットに含めて再送信するＩＰ再送信システムにおけるＩＰ再送信装置であって、
各前記ＩＰ再送信装置において取得され得る時刻同期用の同期情報に基づく第１のカウント値と、前記コンテンツの再生装置における処理タイミングを示す第２のカウント値との差分を含むタイミング情報を生成するタイミング情報生成部と、
前記タイミング情報生成部によって生成された前記タイミング情報を他の前記ＩＰ再送信装置に通知する通知部と、
他の前記ＩＰ再送信装置から通知された前記タイミング情報を取得する取得部と、
前記取得部によって取得された前記タイミング情報に基づく前記処理タイミングを含む前記ＩＰパケットを生成して送信するパケット処理部とを備える、ＩＰ再送信装置。
【請求項６】
放送波を受信し、前記放送波に含まれるコンテンツをＩＰパケットに含めて再送信する複数のＩＰ再送信装置を備えるＩＰ再送信システムにおける制御装置であって、
待機系の前記ＩＰ再送信装置に対して、受信する放送波の周波数を、運用系の前記ＩＰ再送信装置が受信している放送波の周波数に合わせる命令を通知する放送波命令部と、
前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を取得する取得部と、
前記取得部によって取得された前記タイミング情報を前記待機系のＩＰ再送信装置に与える情報付与部と、
所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える、制御装置。
【発明の詳細な説明】
【技術分野】
【０００１】
本開示は、切り替え方法、ＩＰ再送信システム、ＩＰ再送信装置および制御装置に関する。
【背景技術】
【０００２】
近年のデジタル技術の向上に伴い、テレビ放送等にデジタル技術を応用し、より多くの番組を提供するサービスが提供されている。限られた伝送帯域を使ってより多くの番組を高画質かつ高音質で提供するために、高能率圧縮および多重化技術が用いられている。
【０００３】
このようなデジタル放送のシステムの一例として、たとえば、特開２０１０−１７１７９９号公報（特許文献１）には、以下のような構成が開示されている。すなわち、再多重システムは、デジタル放送波を受信し復調してＭＰＥＧ−２ＴＳ（Ｔｒａｎｓｐｏｒｔ  Ｓｔｒｅａｍ）を出力する復調装置と、前記復調装置からＭＰＥＧ−２  ＴＳが入力され、複数チャネルのＭＰＥＧ−２映像を対象にトランスコードを各々実行し、トランスコード後の映像とデジタル放送信号中の音声、字幕と、ＰＣＲ（Ｐｒｏｇｒａｍ  Ｃｌｏｃｋ  Ｒｅｆｅｒｅｎｃｅ）とをＭＰＥＧ−２  ＴＳ形式に多重して出力する複数の映像トランスコーダと、前記複数の映像トランスコーダのトランスコーダ出力信号と、前記復調装置のＭＰＥＧ−２  ＴＳ出力とを再多重する再多重装置とを備える。前記再多重装置は、前記複数の映像トランスコーダからのトランスコーダ出力信号を各々受信し、該受信信号中のＭＰＥＧ−２  ＴＳのＴＳパケットを抽出して、信号記憶手段の信号バッファ領域に書き込む複数のトランスコーダ出力信号受信手段と、前記復調装置からのＭＰＥＧ−２  ＴＳ出力を受信し、該受信信号中のＭＰＥＧ−２  ＴＳのＴＳパケットを抽出して、信号記憶手段の信号バッファ領域に書き込む放送信号受信手段と、前記複数のトランスコーダ出力信号受信手段により信号記憶手段に書き込まれたＭＰＥＧ−２  ＴＳのＴＳパケット中のＰＣＲ、前記放送信号受信手段により信号記憶手段に書き込まれたＭＰＥＧ−２  ＴＳのＴＳパケット中のＰＣＲに基づいて、前記映像トランスコーダから受信したＭＰＥＧ−２  ＴＳのＴＳパケットと前記復調装置から受信したＭＰＥＧ−２  ＴＳのＴＳパケットとの多重タイミングを決定するためのタイムスタンプ値を各ＴＳパケット毎に求め、該タイムスタンプ値を各ＴＳパケットと合わせて前記信号記憶手段に書き込む多重タイミング制御手段と、前記信号記憶手段に格納されているタイムスタンプ値の大きさに従って定められる多重タイミングで、該信号記憶手段内のＴＳパケットを読み出して、前記トランスコーダ出力信号とデジタル放送信号を再多重して出力する多重手段とを備える。
【０００４】
また、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００５】
たとえば、非特許文献１（一般社団法人  電波産業会、”デジタル放送におけるＭＭＴによるメディアトランスポート方式  ＡＲＩＢ  ＳＴＤ−Ｂ６０  １．９版”、平成２９年３月２４日）には、ＭＭＴ方式を用いる放送システムが開示されている。
【０００６】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【先行技術文献】
【特許文献】
【０００７】
【特許文献１】特開２０１０−１７１７９９号公報
【非特許文献】
【０００８】
【非特許文献１】一般社団法人  電波産業会、”デジタル放送におけるＭＭＴによるメディアトランスポート方式  ＡＲＩＢ  ＳＴＤ−Ｂ６０  １．９版”、平成２９年３月２４日
【非特許文献２】一般社団法人  電波産業会、”高度広帯域衛星デジタル放送の伝送方式  ＡＲＩＢ  ＳＴＤ−Ｂ４４  ２．１版”、平成２８年３月２５日
【非特許文献３】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成３１年３月８日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【非特許文献４】”ＪＣＴＥＡ  ＳＴＤ−００２−６．０  デジタル有線テレビジョン放送  多重化装置”、一般社団法人  日本ＣＡＴＶ技術協会
【発明の概要】
【発明が解決しようとする課題】
【０００９】
ケーブルテレビ等のデジタル放送の配信事業者の局舎では、運用系および予備系の複数の配信装置が設けられる場合が多い。
【００１０】
このような配信装置では、ネットワークにおけるパケットの伝送時間の揺らぎ等を再生装置において吸収するために、当該パケットを処理すべきタイミングの情報を当該パケットに含めて送信する場合がある。
【００１１】
ここで、運用系の配信装置の保守交換等のために当該配信装置の出力を停止し、予備系の配信装置へ配信を切り替える場合、再生装置が受信するパケットに含まれる上記情報が乱れると、コンテンツを良好に再生することが困難となる。
【００１２】
この発明は、上述の課題を解決するためになされたもので、その目的は、コンテンツの送信装置を切り替え可能な構成において、再生装置における安定したコンテンツ再生を実現することが可能な切り替え方法、ＩＰ再送信システム、ＩＰ再送信装置および制御装置を提供することである。
【課題を解決するための手段】
【００１３】
本開示の切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記待機系のＩＰ再送信装置に与えるステップと、所定のタイミングにおいて、前記運用系のＩＰ再送信装置から前記待機系のＩＰ再送信装置へ前記コンテンツの再送信を切り替えるステップと、切り替え先の前記ＩＰ再送信装置が、与えられた前記タイミング情報に基づく前記処理タイミングを前記ＩＰパケットに含めて送信するステップとを含む。
【００１４】
本開示のＩＰ再送信システムは、分配器から同じ放送波を受信し、前記放送波に含まれるコンテンツをＩＰパケットに含めて再送信する複数のＩＰ再送信装置と、制御装置とを備え、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記待機系のＩＰ再送信装置は、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記制御装置を介して取得し、前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、切り替え先の前記ＩＰ再送信装置は、与えられた前記タイミング情報に基づく前記処理タイミングを前記ＩＰパケットに含めて送信する。
【００１５】
本開示のＩＰ再送信装置は、放送波を受信し、前記放送波に含まれるコンテンツをＩＰパケットに含めて再送信するＩＰ再送信システムにおけるＩＰ再送信装置であって、各前記ＩＰ再送信装置において取得され得る時刻同期用の同期情報に基づく第１のカウント値と、前記コンテンツの再生装置における処理タイミングを示す第２のカウント値との差分を含むタイミング情報を生成するタイミング情報生成部と、前記タイミング情報生成部によって生成された前記タイミング情報を他の前記ＩＰ再送信装置に通知する通知部と、他の前記ＩＰ再送信装置から通知された前記タイミング情報を取得する取得部と、前記取得部によって取得された前記タイミング情報に基づく前記処理タイミングを含む前記ＩＰパケットを生成して送信するパケット処理部とを備える。
【００１６】
本開示の制御装置は、放送波を受信し、前記放送波に含まれるコンテンツをＩＰパケットに含めて再送信する複数のＩＰ再送信装置を備えるＩＰ再送信システムにおける制御装置であって、待機系の前記ＩＰ再送信装置に対して、受信する放送波の周波数を、運用系の前記ＩＰ再送信装置が受信している放送波の周波数に合わせる命令を通知する放送波命令部と、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を取得する取得部と、前記取得部によって取得された前記タイミング情報を前記待機系のＩＰ再送信装置に与える情報付与部と、所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える。
【００１７】
本開示の一態様は、このような特徴的な処理部を備えるＩＰ再送信システムとして実現され得るだけでなく、かかる特徴的な処理のステップをコンピュータに実行させるためのプログラムとして実現され得る。また、本開示の一態様は、ＩＰ再送信システムの一部または全部を実現する半導体集積回路として実現され得る。
【００１８】
本開示の一態様は、このような特徴的な処理部を備えるＩＰ再送信装置として実現され得るだけでなく、かかる特徴的な処理をステップとする切り替え方法として実現され得たり、かかるステップをコンピュータに実行させるためのプログラムとして実現され得る。また、本開示の一態様は、ＩＰ再送信装置の一部または全部を実現する半導体集積回路として実現され得る。
【００１９】
本開示の一態様は、このような特徴的な処理部を備える制御装置として実現され得るだけでなく、かかる特徴的な処理をステップとする制御方法として実現され得たり、かかるステップをコンピュータに実行させるためのプログラムとして実現され得る。また、本開示の一態様は、制御装置の一部または全部を実現する半導体集積回路として実現され得る。
【発明の効果】
【００２０】
本開示によれば、コンテンツの送信装置を切り替え可能な構成において、再生装置における安定したコンテンツ再生を実現することができる。
【図面の簡単な説明】
【００２１】
【図１】図１は、本開示の実施の形態に係るＩＰ再送信システムの構成を示す図である。
【図２】図２は、本開示の実施の形態に係るＩＰ再送信システムにおいて、放送信号によって伝送されるデータのプロトコルスタックの一例を示す図である。
【図３】図３は、本開示の実施の形態に係るＩＰ再送信システムにおいて、放送信号によって伝送されるＴＬＶパケットの一例を示す図である。
【図４】図４は、本開示の実施の形態に係るＩＰ再送信システムにおけるＩＰ再送信装置の構成を示す図である。
【図５】図５は、本開示の実施の形態に係るＩＰ再送信システムにおけるＮＴＰ長形式のＮＴＰデータの一例を示す図である。
【図６】図６は、本開示の実施の形態に係るＩＰ再送信装置において行われるＴＬＶパケットの分割方法の一例を示す図である。
【図７】図７は、図６に示すＴＳパケットのフォーマットの一例を示す図である。
【図８】図８は、本開示の実施の形態に係るＩＰ再送信システムによるＩＰ再送信装置の切り替え時の処理を示す図である。
【図９】図９は、本開示の実施の形態に係るＩＰ再送信システムによるＩＰ再送信装置の切り替え処理のシーケンスの一例を示す図である。
【図１０】図１０は、本開示の実施の形態に係るＩＰ再送信システムにおける制御装置の構成を示す図である。
【図１１】図１１は、本開示の実施の形態に係るＩＰ再送信システムにおけるＩＰ再送信装置の変形例の構成を示す図である。
【発明を実施するための形態】
【００２２】
最初に、本開示の実施形態の内容を列記して説明する。
【００２３】
（１）本開示の実施の形態に係る切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記待機系のＩＰ再送信装置に与えるステップと、所定のタイミングにおいて、前記運用系のＩＰ再送信装置から前記待機系のＩＰ再送信装置へ前記コンテンツの再送信を切り替えるステップと、切り替え先の前記ＩＰ再送信装置が、与えられた前記タイミング情報に基づく前記処理タイミングを前記ＩＰパケットに含めて送信するステップとを含む。
【００２４】
このような方法により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。また、各ＩＰ再送信装置において取得され得る同期情報を用いる方法により、運用系のＩＰ再送信装置から待機系のＩＰ再送信装置へのタイミング情報の伝送遅延による影響を回避することができる。したがって、コンテンツの送信装置を切り替え可能な構成において、再生装置における安定したコンテンツ再生を実現することができる。
【００２５】
（２）好ましくは、前記第１のカウント値のカウント周波数および前記第２のカウント値のカウント周波数が異なり、前記タイミング情報は、さらに、前記差分の算出元である前記第１のカウント値を含み、前記切り替え方法は、さらに、切り替え先の前記ＩＰ再送信装置が、前記タイミング情報に含まれる前記差分および前記第１のカウント値と、自己が取得した前記同期情報に基づくカウント値とに基づいて、前記処理タイミングを算出するステップを含む。
【００２６】
このような方法により、各カウント値の周波数が異なるシステムにおいて、運用系のＩＰ再送信装置における第２のカウント値および待機系のＩＰ再送信装置における第２のカウント値のタイミングを容易に合わせることができる。
【００２７】
（３）好ましくは、前記同期情報は、前記放送波に含まれるＮＴＰ（Ｎｅｔｗｏｒｋ  Ｔｉｍｅ  Ｐｒｏｔｏｃｏｌ）データであり、前記処理タイミングは、ＴＴＳ（Ｔｉｍｅ−ｓｔａｍｐｅｄ  ＴＳ）パケットに含まれるタイムスタンプである。
【００２８】
このような方法により、高度広帯域衛星デジタル放送を、ＩＰＴＶ伝送網を介して加入者宅へ送信するＩＰ再送信サービスを行うシステムにおいて、ＮＴＰデータを有効に活用し、切り替え先のＩＰ再送信装置から伝送されるＩＰパケットを安定して処理し、コンテンツを良好に再生することが可能となる。
【００２９】
（４）本開示の実施の形態に係るＩＰ再送信システムは、分配器から同じ放送波を受信し、前記放送波に含まれるコンテンツをＩＰパケットに含めて再送信する複数のＩＰ再送信装置と、制御装置とを備え、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記待機系のＩＰ再送信装置は、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記制御装置を介して取得し、前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、切り替え先の前記ＩＰ再送信装置は、与えられた前記タイミング情報に基づく前記処理タイミングを前記ＩＰパケットに含めて送信する。
【００３０】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。また、各ＩＰ再送信装置において取得され得る同期情報を用いる構成により、運用系のＩＰ再送信装置から待機系のＩＰ再送信装置へのタイミング情報の伝送遅延による影響を回避することができる。したがって、コンテンツの送信装置を切り替え可能な構成において、再生装置における安定したコンテンツ再生を実現することができる。
【００３１】
（５）本開示の実施の形態に係るＩＰ再送信装置は、放送波を受信し、前記放送波に含まれるコンテンツをＩＰパケットに含めて再送信するＩＰ再送信システムにおけるＩＰ再送信装置であって、各前記ＩＰ再送信装置において取得され得る時刻同期用の同期情報に基づく第１のカウント値と、前記コンテンツの再生装置における処理タイミングを示す第２のカウント値との差分を含むタイミング情報を生成するタイミング情報生成部と、前記タイミング情報生成部によって生成された前記タイミング情報を他の前記ＩＰ再送信装置に通知する通知部と、他の前記ＩＰ再送信装置から通知された前記タイミング情報を取得する取得部と、前記取得部によって取得された前記タイミング情報に基づく前記処理タイミングを含む前記ＩＰパケットを生成して送信するパケット処理部とを備える。
【００３２】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。また、各ＩＰ再送信装置において取得され得る同期情報を用いる構成により、運用系のＩＰ再送信装置から待機系のＩＰ再送信装置へのタイミング情報の伝送遅延による影響を回避することができる。したがって、コンテンツの送信装置を切り替え可能な構成において、再生装置における安定したコンテンツ再生を実現することができる。
【００３３】
（６）本開示の実施の形態に係る制御装置は、放送波を受信し、前記放送波に含まれるコンテンツをＩＰパケットに含めて再送信する複数のＩＰ再送信装置を備えるＩＰ再送信システムにおける制御装置であって、待機系の前記ＩＰ再送信装置に対して、受信する放送波の周波数を、運用系の前記ＩＰ再送信装置が受信している放送波の周波数に合わせる命令を通知する放送波命令部と、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を取得する取得部と、前記取得部によって取得された前記タイミング情報を前記待機系のＩＰ再送信装置に与える情報付与部と、所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える。
【００３４】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。また、各ＩＰ再送信装置において取得され得る同期情報を用いる構成により、運用系のＩＰ再送信装置から待機系のＩＰ再送信装置へのタイミング情報の伝送遅延による影響を回避することができる。したがって、コンテンツの送信装置を切り替え可能な構成において、再生装置における安定したコンテンツ再生を実現することができる。
【００３５】
以下、本開示の実施の形態について図面を用いて説明する。なお、図中同一または相当部分には同一符号を付してその説明は繰り返さない。また、以下に記載する実施の形態の少なくとも一部を任意に組み合わせてもよい。
【００３６】
［構成］
図１は、本開示の実施の形態に係るＩＰ再送信システムの構成を示す図である。
【００３７】
図１を参照して、ＩＰ再送信システム３０１は、たとえば一般社団法人  電波産業会、”高度広帯域衛星デジタル放送の伝送方式  ＡＲＩＢ  ＳＴＤ−Ｂ４４  ２．１版”、平成２８年３月２５日（非特許文献２）に開示されている方式に従う高度広帯域衛星デジタル放送等の放送波の規格に従うＩＰ再送信システムであり、複数のＩＰ再送信装置１０１と、１または複数の制御装置１５１と、分配器１５２と、Ｌ２スイッチ１５３と、Ｌ３スイッチ１５５とを備える。なお、ＩＰ再送信システム３０１は、他の規格に従うＩＰ再送信システムであってもよい。
【００３８】
図１では、一例として、運用系として１５台のＩＰ再送信装置１０１と、予備系として２台のＩＰ再送信装置１０１と、運用系および予備系として２台の制御装置１５１とが設けられている。なお、Ｌ２スイッチ１５３およびＬ３スイッチ１５５は、それぞれ、１つの装置または複数の装置で実現される。
【００３９】
ＩＰ再送信装置１０１は、コンテンツを格納したストリームを含む放送波を受信し、受信した放送波に含まれるコンテンツ等をＩＰパケットに含めて再送信する。より詳細には、分配器１５２は、アンテナ８１において受信された放送信号を各ＩＰ再送信装置１０１へ分配する。
【００４０】
ストリームは、コンテンツすなわち番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００４１】
図２は、本開示の実施の形態に係るＩＰ再送信システムにおいて、放送信号によって伝送されるデータのプロトコルスタックの一例を示す図である。図２では、ＴＬＶパケットを用いるプロトコルスタックが示されている。
【００４２】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００４３】
図２に示す例では、放送波は、たとえば、ＴＭＣＣ（Ｔｒａｎｓｍｉｓｓｉｏｎ＆Ｍｕｌｔｉｐｌｅｘｉｎｇ  Ｃｏｎｆｉｇｕｒａｔｉｏｎ  Ｃｏｎｔｒｏｌ）情報、ＡＣ情報およびＴＬＶパケットを含む。
【００４４】
図３は、本開示の実施の形態に係るＩＰ再送信システムにおいて、放送信号によって伝送されるＴＬＶパケットの一例を示す図である。図３には、データ種別を示す情報が格納されたヘッダを有するパケットの一例である、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成３１年３月８日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉（非特許文献３）の規格に従うＴＬＶパケットのフォーマットが示されている。
【００４５】
ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００４６】
「パケットタイプ」のフィールドには、「０ｘ０１」、「０ｘ０２」、「０ｘ０３」または「０ｘＦＦ」等の値が格納される。ここで、「０ｘ」で始まる数字は、「０ｘ」以降の数字が１６進数で表されていることを意味する。
【００４７】
「パケットタイプ」のフィールドにおいて「０ｘ０１」が格納される場合、ＴＬＶパケット６１は、ＴＬＶペイロードにおいて、「長さ」のフィールドに格納された値の総データ長となるＩＰｖ４パケットを含む。
【００４８】
また、「パケットタイプ」のフィールドにおいて「０ｘ０２」が格納される場合、ＴＬＶパケット６２は、ＴＬＶペイロードにおいて、「長さ」のフィールドに格納された値の総データ長となるＩＰｖ６パケットを含む。
【００４９】
また、「パケットタイプ」のフィールドにおいて「０ｘ０３」が格納される場合、ＴＬＶパケット６３は、ＴＬＶペイロードにおいて、「長さ」のフィールドに格納された値の総データ長となるＩＰパケットを含む。圧縮ＩＰパケットは、たとえばＩＰヘッダが圧縮されたＩＰパケットである。
【００５０】
また、「パケットタイプ」のフィールドにおいて「０ｘＦＦ」が格納される場合、ＴＬＶパケット６４は、ＴＬＶペイロードにおいて、「長さ」のフィールドに格納された値の総データ長となるヌルデータを含む。以下、ＴＬＶペイロードにおいてヌルデータを含むＴＬＶパケットを、ＴＬＶヌルパケットとも称する。
【００５１】
再び図２を参照して、たとえば、時刻同期用のＮＴＰ（Ｎｅｔｗｏｒｋ  Ｔｉｍｅ  Ｐｒｏｔｏｃｏｌ）データ、ＩＰ−ＳＩデータ、時刻情報、ＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。ＭＭＴパケットには、映像情報、音声情報、ＭＭＴ−ＳＩデータ、および他の情報が格納される。
【００５２】
ＴＬＶパケット６１〜６３（以下、ＴＬＶ情報パケットとも称する。）は、このようなＵＤＰ／ＩＰパケットを格納する。
【００５３】
また、放送波において、フレームを構成する１または複数のストリームが含まれることが規定されている。放送波を用いて、フレームの構造を維持したままストリームの伝送が行われることにより、複数のストリームを効率良く伝送することができる。
【００５４】
フレームには、最大で１６の放送局の番組にそれぞれ対応する複数のストリームを含めることが可能である。各ストリームは、たとえばＴＬＶパケットにおけるＭＭＴパケットに含まれる伝送ストリームＩＤを用いることにより区別される。
【００５５】
再び図１を参照して、ＩＰ再送信装置１０１は、分配器１５２から受けた放送信号からコンテンツ情報すなわち番組の情報を抽出し、抽出したコンテンツ情報をたとえば分割して含む複数のＩＰパケットを、Ｌ３スイッチ１５５およびＩＰ網４０１経由で各ＩＰ−ＳＴＢ１７１へマルチキャストする。すなわち、各ＩＰ再送信装置１０１から出力されるＩＰパケットは、中継装置の一例であるＬ３スイッチ１５５によって中継されてＩＰ網４０１へ送信される。たとえば、ＩＰ再送信装置１０１は、コンテンツが複数に分割された情報を１または複数のＩＰパケットに含めて再送信する。
【００５６】
ＩＰ−ＳＴＢ１７１は、コンテンツの再生装置の一例であり、ＩＰ網４０１から受信した各ＩＰパケットからコンテンツ情報を抽出し、テレビジョン装置（ＴＶ）１７２において再生する。
【００５７】
ＩＰ再送信装置１０１は、対応の局のＳＩ情報をＬ２スイッチ１５３経由で全局ＳＩ（Ｓｅｒｖｉｃｅ  Ｉｎｆｏｒｍａｔｉｏｎ）サーバ１６１へ送信する。
【００５８】
また、ＩＰ再送信装置１０１は、分配器１５２から受けた放送信号から緊急警報等の緊急情報を抽出し、Ｌ２スイッチ１５３経由で緊急警報サーバ１６２へ送信する。
【００５９】
制御装置１５１は、Ｌ２スイッチ１５３経由でＩＰ再送信装置１０１と情報を送受信することにより、ＩＰ再送信装置１０１の設定および監視等を行う。
【００６０】
図４は、本開示の実施の形態に係るＩＰ再送信システムにおけるＩＰ再送信装置の構成を示す図である。
【００６１】
図４を参照して、ＩＰ再送信装置１０１は、チューナ１１と、制御部（タイミング情報生成部、通知部および取得部）１８と、カウンタ１９Ａ，１９Ｂと、スイッチ回路２０と、高確度発振器２１と、パケット処理部２２と、逓倍回路２３と、ＮＴＰパケット取得部２４と、換算部２５と、削除部２６と、ＴＳ化部２７とを備える。パケット処理部２２は、ＩＰ変換部１７と、ＴＴＳ化部２８とを含む。
【００６２】
高確度発振器２１は、たとえば、基準クロックを生成する。より詳細には、高確度発振器２１は、たとえば、ＧＰＳ（Ｇｌｏｂａｌ  Ｐｏｓｉｔｉｏｎｉｎｇ  Ｓｙｓｔｅｍ）衛星から送信される電波に含まれる時刻情報に同期した、２７ＭＨｚの高精度なクロックパルスを生成する発振器である。高確度発振器２１は、生成したクロックパルスをカウンタ１９Ｂおよび逓倍回路２３へ出力する。
【００６３】
逓倍回路２３は、高確度発振器２１から受けた基準クロックを所定数倍した逓倍クロックをカウンタ１９Ａへ出力する。具体的には、逓倍回路２３は、基準クロックを逓倍することにより２＾３２Ｈｚのクロックパルスを生成し、生成したクロックパルスをカウンタ１９Ａへ出力する。ここで、「ａ＾ｂ」は、ａのｂ乗を意味する。
【００６４】
なお、高確度発振器２１は、ＯＣＸＯ（Ｏｖｅｎ  Ｃｏｎｔｒｏｌｌｅｄ  Ｏｓｃｉｌｌａｔｏｒ）およびルビジウム発振器等を用いて高精度なクロックパルスを生成する構成であってもよい。
【００６５】
カウンタ１９Ａは、たとえば、逓倍回路２３から受けた逓倍クロックのタイミングに従って、カウント値を更新する。カウンタ１９Ｂは、たとえば、高確度発振器２１から受けた基準クロックのタイミングに従って、カウント値を更新する。
【００６６】
より詳細には、カウンタ１９Ａは、逓倍回路２３から受けた逓倍クロックのパルスをカウントし、カウント値を保持する。
【００６７】
カウンタ１９Ｂは、高確度発振器２１から受けた基準クロックのパルスをカウントし、カウント値を保持する。
【００６８】
ＩＰ再送信システム３０１における放送波は、上述のＴＬＶヌルパケット、番組の情報を含む、サイズ可変なすなわちデータサイズが可変な可変パケット、および協定世界時（Ｃｏｏｒｄｉｎａｔｅｄ  Ｕｎｉｖｅｒｓａｌ  Ｔｉｍｅ：ＵＴＣ）を用いて装置間における時刻同期用の同期情報を含み、かつＭＭＴ方式に従う。
【００６９】
ここで、ＴＬＶパケットは、可変パケットの一例である。ＮＴＰデータは、ＩＰ再送信装置１０１において取得され得る時刻同期用の同期情報の一例である。
【００７０】
制御部１８は、ＩＰ再送信装置１０１における各ユニットの設定および監視等を行い、また、制御装置１５１と各種情報の送受信を行う。
【００７１】
チューナ１１は、分配器１５２から受けた放送信号のうち、制御部１８から指定された周波数の放送信号に対して復調処理を行うことによりＴＬＶヌルパケット、ＴＬＶ番組パケット、および時刻合わせ情報等を含むストリームを生成する。
【００７２】
より詳細には、チューナ１１は、分配器１５２から受けた放送信号を復調することにより、複数のＴＬＶパケットによって構成されるストリームを生成する（図２参照）。ストリームでは、たとえば、３３ミリ秒ごとにＮＴＰデータが伝送される。
【００７３】
チューナ１１は、生成したストリームをＮＴＰパケット取得部２４および削除部２６へ出力する。
【００７４】
ＮＴＰパケット取得部２４は、チューナ１１からストリームを受けて、受けたストリームからＮＴＰデータを含むＩＰパケット（以下、ＮＴＰパケットとも称する。）を取得し、取得したＮＴＰパケットを換算部２５へ出力する。
【００７５】
換算部２５は、たとえば、放送波に含まれるＮＴＰデータを用いて、カウンタ１９Ａに対して時刻合わせを行う。
【００７６】
より詳細には、換算部２５は、ＮＴＰパケット取得部２４からＮＴＰパケットを受けて、受けたＮＴＰパケットに含まれるＮＴＰデータからＮＴＰ長形式の協定世界時を取得する。
【００７７】
図５は、本開示の実施の形態に係るＩＰ再送信システムにおけるＮＴＰ長形式のＮＴＰデータの一例を示す図である。
【００７８】
図５を参照して、ＮＴＰデータは、秒単位の時間を示す３２ビットの整数部フィールドと、１秒以下の時間を示す３２ビットの小数部フィールドとを含む。
【００７９】
換算部２５は、ＮＴＰ長形式の協定世界時をカウンタ１９Ａのカウント値に換算するための式（以下、換算式とも称する。）を保持している。
【００８０】
カウンタ１９Ａのカウント値に基づく時刻と協定世界時とのずれは、たとえば、５００ナノ秒程度まで許容可能である。当該カウント値の１カウントは、約３７ナノ秒に相当するので、当該カウント値が１０カウント程度ふらついても、許容範囲に収まる。
【００８１】
たとえば、高確度発振器２１の周波数確度が１ｐｐｍである場合、約３７ミリ秒ごとにカウンタ１９Ａのカウント値が１カウントずれると考えられるので、ＮＴＰデータ１０個分、すなわち３３０ミリ秒ごとに当該カウント値を校正すれば、当該カウント値に基づく時刻を十分な精度で協定世界時に同期させることができる。
【００８２】
この例では、換算部２５は、ＮＴＰパケット取得部２４からＮＴＰパケットを受けるごとに、すなわち３３ミリ秒ごとに、換算式を用いて協定世界時をカウンタ１９Ａのカウント値へ変換し、変換後のカウント値をカウンタ１９Ａにセットする。
【００８３】
以降、カウンタ１９Ａは、セットされたカウント値からＩＰ再送信装置１０１における２＾３２Ｈｚのクロックのパルスをカウントしたカウント値（以下、同期カウント値とも称する。）を保持する。
【００８４】
これにより、カウンタ１９Ａの示すカウント値は、たとえば、ＮＴＰデータに基づいて、協定世界時を２＾３２Ｈｚの精度で表すことが可能である。
【００８５】
削除部２６は、チューナ１１によって生成されたストリームからＴＬＶヌルパケットを削除する。
【００８６】
より詳細には、削除部２６は、チューナ１１から受けるストリームを監視し、ＴＬＶヘッダにおけるスタートコードの検出を試みる（図３参照）。
【００８７】
削除部２６は、スタートコードを検出すると、当該スタートコードの後方のパケットタイプのフィールドに格納された値を確認する。
【００８８】
削除部２６は、上記フィールドに格納された値が０ｘＦＦである場合、当該スタートコードを含むＴＬＶパケットがＴＬＶヌルパケットであると判断し、ストリームから当該ＴＬＶパケットを削除する。
【００８９】
一方、削除部２６は、上記フィールドに格納された値が０ｘＦＦ以外の値である場合、当該スタートコードを含むＴＬＶパケットがＴＬＶヌルパケットでないと判断し、当該ＴＬＶパケットをＴＳ化部２７へ出力する。
【００９０】
図６は、本開示の実施の形態に係るＩＰ再送信装置において行われるＴＬＶパケットの分割方法の一例を示す図である。
【００９１】
図６には、”ＪＣＴＥＡ  ＳＴＤ−００２−６．０  デジタル有線テレビジョン放送  多重化装置”、一般社団法人  日本ＣＡＴＶ技術協会（非特許文献４）に記載された、ＴＬＶパケットを複数のＴＳパケットに格納する方法が示される。
【００９２】
図７は、図６に示すＴＳパケットのフォーマットの一例を示す図である。
【００９３】
図６および図７を参照して、ＴＳ化部２７は、ストリームに含まれるＴＬＶパケットが分割されたデータをそれぞれ含む、所定サイズを有する複数の固定パケットを作成する。ここで、ＴＳパケットは、１８８バイトのサイズを有し、固定パケットの一例である。
【００９４】
より詳細には、ＴＳ化部２７は、たとえば、未格納データを保持するためのバッファを有する。
【００９５】
ＴＳ化部２７は、たとえば、バッファに未格納データが保存されていない場合において、削除部２６からＴＬＶパケット１（図６参照）を受けると、たとえば、受けたＴＬＶパケット１の先頭から１８４バイトまでのデータを分割ＴＬＶパケットとして取得する。
【００９６】
ＴＳ化部２７は、取得した分割ＴＬＶパケットに、３バイトのＴＳヘッダ、および、ＴＬＶヘッダが存在する場合には１バイトの先頭ＴＬＶ指示を付加することで、分割ＴＬＶパケットがペイロードに格納されたＴＳパケット（以下、ＴＬＶ格納ＴＳパケット）を作成し、作成したＴＬＶ格納ＴＳパケットをＴＴＳ化部２８へ出力する。
【００９７】
同様に、ＴＳ化部２７は、ＴＬＶパケット１の残りのデータの先頭から１８５バイトのデータを分割ＴＬＶパケットとして取得するごとに、ＴＬＶ格納ＴＳパケットを作成してＴＴＳ化部２８へ出力する。
【００９８】
また、ＴＳ化部２７は、取得したデータのサイズが１８５バイトに満たない場合、取得したデータを未格納データとしてバッファに保存する。
【００９９】
そして、ＴＳ化部２７は、後続のＴＬＶパケット２（図６参照）を削除部２６から受けると、バッファに未格納データが保存されているので、１８４バイトから未格納データのサイズを差し引いたサイズのデータを、ＴＬＶパケット２の先頭から取得する。
【０１００】
ＴＳ化部２７は、取得したデータの先頭に未格納データを付加し、先頭ＴＬＶ指示およびＴＬＶパケット２のデータを配置して分割ＴＬＶパケットを作成した後、バッファにおける上記未格納データを破棄する。
【０１０１】
ＴＳ化部２７は、作成した分割ＴＬＶパケットにＴＳヘッダを付加してＴＬＶ格納ＴＳパケットを作成し、作成したＴＬＶ格納ＴＳパケットをＴＴＳ化部２８へ出力する。
【０１０２】
なお、ＴＳ化部２７は、図６および図７に示すＴＬＶ格納ＴＳパケットを作成する構成であるとしたが、これに限定するものではない。ＴＳ化部２７は、先頭に同期バイトを含むＴＳヘッダを有し、かつサイズが１８８バイトのＴＳパケットであれば、たとえば、図６に示すフォーマットを有するＴＳパケットに、分割ＴＬＶパケットを格納する構成であってもよい。
【０１０３】
このように、ＴＳパケットを用いる構成により、ＭＰＥＧ２−ＴＳの技術体系で活用した、ＴＳｏｖｅｒＩＰの記録装置、測定装置および監視装置等を利用することができる。
【０１０４】
再び図４を参照して、ＴＴＳ化部２８は、たとえば、ＴＬＶ格納ＴＳパケットの送信タイミングを示すタイムスタンプを当該ＴＬＶ格納ＴＳパケットに付加する。
【０１０５】
より詳細には、ＴＴＳ化部２８は、ＴＳ化部２７からＴＬＶ格納ＴＳパケットを受けると、当該ＴＬＶ格納ＴＳパケットのＴＳヘッダの前にタイムスタンプを付加する。
【０１０６】
ここで、タイムスタンプは、コンテンツの再生装置たとえばＩＰ−ＳＴＢ１７１における処理タイミングの一例である。たとえば、ＩＰ再送信装置１０１は、自走クロックのタイミングに従って動作するカウンタのカウント値を処理タイミングとする。この処理タイミングは、ＩＰ−ＳＴＢ１７１におけるＴＬＶ格納ＴＳパケットの処理タイミングである。
【０１０７】
具体的には、タイムスタンプは、ＩＰ−ＳＴＢ１７１においてＴＬＶ格納ＴＳパケットをデコーダへ投入すべきタイミングであり、たとえばＩＰ再送信装置１０１における２７ＭＨｚの基準クロックのタイミングに従って動作するカウンタ１９Ｂのカウント値である。すなわち、ＩＰ再送信装置１０１において、同期カウント値のカウント周波数およびタイムスタンプのカウント周波数が異なる。また、当該基準クロックは、各ＩＰ再送信装置１０１間で非同期である。
【０１０８】
タイムスタンプを用いることにより、ＩＰ−ＳＴＢ１７１は、ネットワークにおける各ＩＰパケットの伝送時間の揺らぎを吸収して、適切なタイミングでＴＬＶ格納ＴＳパケットを処理し、コンテンツ情報を良好に再生することができる。
【０１０９】
以下、タイムスタンプが付加されたＴＬＶ格納ＴＳパケットを、ＴＬＶ格納ＴＴＳ（Ｔｉｍｅ−ｓｔａｍｐｅｄ  ＴＳ）パケットとも称する。
【０１１０】
タイムスタンプのサイズは、所定の大きさ、たとえば４バイトである。したがって、ＴＬＶ格納ＴＴＳパケットのサイズは、固定長の１９２バイトである。
【０１１１】
ＩＰ変換部１７は、ＴＴＳ化部２８から受けた１または複数のＴＬＶ格納ＴＴＳパケットをＩＰパケットに含め、スイッチ回路２０経由でＬ３スイッチ１５５へ出力する。
【０１１２】
［課題］
特許文献１には、ＴＴＳパケットおよびＰＣＲを用いて、複数の配信装置のタイミングを同期させる方法が開示されている。
【０１１３】
しかしながら、高度広帯域衛星デジタル放送の放送波にはＰＣＲが含まれていないため、別の方法で複数の配信装置のタイミングを同期させる必要がある。
【０１１４】
これに対して、本開示の実施の形態に係るＩＰ再送信システムでは、以下のような構成および動作により、上記課題を解決する。
【０１１５】
図８は、本開示の実施の形態に係るＩＰ再送信システムによるＩＰ再送信装置の切り替え時の処理を示す図である。
【０１１６】
図４および図８を参照して、ＩＰ再送信装置１０１における制御部１８は、ＩＰ−ＳＴＢ１７１における処理タイミングに関するタイミング情報を生成し、他のＩＰ再送信装置１０１に通知することができる。
【０１１７】
たとえば、タイミング情報は、ＮＴＰデータに基づく上述の同期カウント値と、ＩＰ−ＳＴＢ１７１における処理タイミングを示すタイムスタンプＳｔｐ＿Ａとの差分Δｔを含む。
【０１１８】
運用系のＩＰ再送信装置１０１は、生成したタイミング情報を待機系のＩＰ再送信装置１０１に与える。
【０１１９】
より詳細には、運用系のＩＰ再送信装置１０１における制御部１８は、たとえば、後述する制御装置１５１からのタイミング情報要求を受信すると、現在の同期カウント値および現在のタイムスタンプＳｔｐ＿Ａをカウンタ１９ＡおよびＴＴＳ化部２８からそれぞれ取得し、取得した当該同期カウント値と当該タイムスタンプＳｔｐ＿Ａとの差分Δｔを算出する。
【０１２０】
具体的には、制御部１８は、たとえば、カウンタ１９Ａから現在の同期カウント値ｃｎｔ＿Ａ１を取得し、ＴＴＳ化部２８から現在のタイムスタンプＳｔｐ＿Ａ１を取得したとする。そして、制御部１８は、同期カウント値ｃｎｔ＿Ａ１およびタイムスタンプＳｔｐ＿Ａ１の差分Δｔ１を算出し、算出した差分Δｔ１および当該差分Δｔ１の算出元である同期カウント値ｃｎｔ＿Ａ１を含むタイミング情報を生成する。
【０１２１】
そして、制御部１８は、生成したタイミング情報を制御装置１５１へ送信する。
【０１２２】
また、たとえば、制御部１８は、制御装置１５１からのタイミング情報要求に従い取得した同期カウント値が同期カウント値ｃｎｔ＿Ａ２、同期カウント値ｃｎｔ＿Ａ３、同期カウント値ｃｎｔ＿Ａ４またはｃｎｔ＿Ａ５である場合、ＴＴＳ化部２８から現在のタイムスタンプＳｔｐ＿Ａを取得して上記と同様の処理を行う。
【０１２３】
制御装置１５１は、運用系のＩＰ再送信装置１０１から受信したタイミング情報を待機系のＩＰ再送信装置１０１へ送信する。
【０１２４】
待機系のＩＰ再送信装置１０１は、運用系のＩＰ再送信装置１０１において生成されるタイミング情報を制御装置１５１を介して取得する。
【０１２５】
より詳細には、待機系のＩＰ再送信装置１０１における制御部１８は、運用系のＩＰ再送信装置１０１から通知されたタイミング情報を取得する。
【０１２６】
具体的には、制御部１８は、制御装置１５１から送信されたタイミング情報を受信し、受信したタイミング情報に含まれる差分Δｔ１および同期カウント値ｃｎｔ＿Ａ１を取得する。
【０１２７】
そして、待機系のＩＰ再送信装置１０１は、当該タイミング情報に含まれる差分Δｔ１および同期カウント値ｃｎｔ＿Ａ１と、自己が取得した同期情報に基づく同期カウント値とに基づいて、自己が付加すべきタイムスタンプＳｔｐ＿ＡＢを処理タイミングとして算出する。
【０１２８】
より詳細には、待機系のＩＰ再送信装置１０１における制御部１８は、取得した同期カウント値ｃｎｔ＿Ａ１を用いて、運用系のＩＰ再送信装置１０１および待機系のＩＰ再送信装置１０１間のタイミング情報の伝送による遅延時間を補正した処理タイミングを算出する。
【０１２９】
ここで、運用系のＩＰ再送信装置１０１および待機系のＩＰ再送信装置１０１は、共通の同期情報に基づいて自己のカウンタ１９Ａに対して時刻合わせを行い、かつ各カウンタ１９Ａが同じカウント周波数であることから、たとえば、運用系のＩＰ再送信装置１０１におけるカウンタ１９Ａの同期カウント値ｃｎｔ＿Ａ１は、同じ時刻における待機系のＩＰ再送信装置１０１におけるカウンタ１９Ａの同期カウント値ｃｎｔ＿Ｂ１と同じである。
【０１３０】
待機系のＩＰ再送信装置１０１における制御部１８は、たとえば、制御装置１５１から送信されたタイミング情報を受信し、自己のＩＰ再送信装置１０１が取得したＮＴＰデータに基づく現在の同期カウント値をカウンタ１９Ａから取得する。
【０１３１】
具体的には、制御部１８は、たとえば、制御装置１５１から送信されたタイミング情報を受信したタイミングにおいて、自己のカウンタ１９Ａのカウント値である同期カウント値ｃｎｔ＿Ｂ３をカウンタ１９Ａから取得する。
【０１３２】
そして、制御部１８は、同期カウント値ｃｎｔ＿Ｂ３から当該タイミング情報に含まれる同期カウント値ｃｎｔ＿Ａ１を減算した値を、同期カウント値のカウント周波数である２＾３２で除することにより遅延時間Δｓｅｃを算出する。
【０１３３】
さらに、制御部１８は、遅延時間Δｓｅｃの間に進んだカウンタ１９Ａのカウント増分値、すなわち（１／２＾３２）×Δｓｅｃを算出する。また、制御部１８は、遅延時間Δｓｅｃの間に進んだカウンタ１９Ｂのカウント増分値、すなわち（１／２７００００００）×Δｓｅｃを算出する。
【０１３４】
そして、制御部１８は、算出したカウンタ１９Ｂのカウント増分値からカウンタ１９Ａのカウント増分値を減算することにより、遅延時間Δｓｅｃを補正するための補正値を算出する。
【０１３５】
待機系のＩＰ再送信装置１０１は、運用系のＩＰ再送信装置１０１から与えられたタイミング情報に基づく処理タイミングをＩＰパケットに含めて送信する。
【０１３６】
より詳細には、制御部１８は、たとえば、算出した補正値および取得した運用系のＩＰ再送信装置１０１における差分Δｔ１を用いて、カウンタ１９Ｂのカウント値を補正する。具体的には、制御部１８は、上記同期カウント値ｃｎｔ＿Ｂ３に差分Δｔ１および算出した補正値を加算した値（以下、タイムスタンプＳｔｐ＿ＡＢ１とも称する。）を、カウンタ１９Ｂにセットする。
【０１３７】
以降、カウンタ１９Ｂは、セットされたタイムスタンプＳｔｐ＿ＡＢ１から自己のＩＰ再送信装置１０１における２７ＭＨｚの基準クロックのパルスをカウントしたカウント値を保持する。すなわち、待機系のＩＰ再送信装置１０１において、カウンタ１９Ｂのカウント値が、元のカウント値（以下、タイムスタンプＳｔｐ＿Ｂとも称する。）からタイムスタンプＳｔｐ＿ＡＢへ補正される。
【０１３８】
ＴＴＳ化部２８は、たとえば、タイムスタンプＳｔｐ＿ＡＢ１に基づくカウンタ１９Ｂのカウント値を用いることにより、運用系のＩＰ再送信装置１０１におけるタイムスタンプと待機系のＩＰ再送信装置１０１におけるタイムスタンプとを合わせることができる。
【０１３９】
そして、ＴＴＳ化部２８は、制御部１８によって取得されたタイミング情報に基づく処理タイミングを含むＩＰパケットを生成して送信する。
【０１４０】
より詳細には、ＴＴＳ化部２８は、補正後のタイムスタンプすなわちカウンタ１９Ｂのカウント値が付加されたＴＬＶ格納ＴＴＳを作成し、作成したＴＬＶ格納ＴＴＳをＩＰ変換部１７へ出力する。
【０１４１】
ＩＰ変換部１７は、ＴＴＳ化部２８から受けた１または複数のＴＬＶ格納ＴＴＳパケットをＩＰパケットに含め、スイッチ回路２０経由でＬ３スイッチ１５５へ出力する。
【０１４２】
［動作の流れ］
次に、本開示の実施の形態に係るＩＰ再送信システムにおけるＩＰ再送信装置の切り替え動作の流れについて説明する。
【０１４３】
ＩＰ再送信システム３０１における各装置は、メモリを含むコンピュータを備え、当該コンピュータにおけるＣＰＵ等の演算処理部は、以下のフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１４４】
図９は、本開示の実施の形態に係るＩＰ再送信システムによるＩＰ再送信装置の切り替え処理のシーケンスの一例を示す図である。
【０１４５】
図９を参照して、ＩＰ再送信装置１０１であるＩＰ再送信装置１０１ＡおよびＩＰ再送信装置１０１Ｂがそれぞれ運用系および待機系である状況において、まず、制御装置１５１は、ＩＰ再送信装置１０１Ａのエラーを検知し（ステップＳ１）、待機指示をＩＰ再送信装置１０１Ａへ送信する（ステップＳ２）。
【０１４６】
ＩＰ再送信装置１０１Ａは、制御装置１５１から待機指示を受信して、たとえばスイッチ回路２０をオフすることによりＩＰパケット、ＳＩ情報および緊急警報の送信を停止し、待機系となる（ステップＳ３）。
【０１４７】
次に、制御装置１５１は、運用指示をＩＰ再送信装置１０１Ｂへ送信する（ステップＳ４）。
【０１４８】
次に、ＩＰ再送信装置１０１Ｂは、制御装置１５１から運用指示を受信して、受信する放送波の周波数を、ＩＰ再送信装置１０１Ａが受信している放送波の周波数に合わせる。そして、ＩＰ再送信装置１０１Ｂは、たとえばスイッチ回路２０をオンすることによりＩＰパケット、ＳＩ情報および緊急警報の送信を開始し、運用系となる（ステップＳ５）。
【０１４９】
次に、ＩＰ再送信装置１０１Ａの交換または修理等が完了すると、制御装置１５１は、たとえば作業者の操作による切り替え指示を受け付ける（ステップＳ６）。
【０１５０】
次に、制御装置１５１は、タイミング情報要求をＩＰ再送信装置１０１Ｂへ送信する（ステップＳ７）。
【０１５１】
次に、ＩＰ再送信装置１０１Ｂは、制御装置１５１からタイミング情報要求を受信して、最新の自己の同期カウント値、および当該同期カウント値に対応する差分Δｔを含むタイミング情報を生成し、制御装置１５１へ送信する（ステップＳ８）。
【０１５２】
次に、制御装置１５１は、ＩＰ再送信装置１０１Ｂから受信したタイミング情報をＩＰ再送信装置１０１Ａへ送信する（ステップＳ９）。
【０１５３】
次に、待機系のＩＰ再送信装置１０１Ａは、運用系のＩＰ再送信装置１０１Ｂにおいて生成される、ＩＰ−ＳＴＢ１７１における処理タイミングに関する情報を制御装置１５１を介して取得する。より詳細には、ＩＰ再送信装置１０１Ａは、制御装置１５１からタイミング情報を受信し、受信したタイミング情報に含まれるＩＰ再送信装置１０１Ｂの同期カウント値、および当該同期カウント値に対応する差分Δｔを取得する（ステップＳ１０）。
【０１５４】
次に、待機系のＩＰ再送信装置１０１Ａは、取得したＩＰ再送信装置１０１Ｂの同期カウント値および差分Δｔと、取得した自己の同期カウント値とに基づいて、自己が付加すべき処理タイミングを算出する（ステップＳ１１）。
【０１５５】
次に、待機系のＩＰ再送信装置１０１Ａは、算出した処理タイミングに基づいて調整処理、たとえば上述のようなカウンタ１９Ｂのカウント値の補正を行い（ステップＳ１２）、ＡＣＫを制御装置１５１へ送信する（ステップＳ１３）。
【０１５６】
次に、制御装置１５１は、運用系のＩＰ再送信装置１０１Ｂから待機系のＩＰ再送信装置１０１Ａへコンテンツの再送信を切り替える。より詳細には、制御装置１５１は、コンテンツの再送信の切り替えとして、運用系のＩＰ再送信装置１０１Ｂに所定の切り替えタイミングにおいてコンテンツの再送信を停止させ、待機系のＩＰ再送信装置１０１Ａに所定の切り替えタイミングにおいてコンテンツの再送信を開始させる。すなわち、制御装置１５１は、ＩＰ再送信装置１０１ＡからＡＣＫを受信して、所定の切り替えタイミングをＩＰ再送信装置１０１ＡおよびＩＰ再送信装置１０１Ｂに通知する。
【０１５７】
具体的には、制御装置１５１は、切り替えタイミングを示すタイムスタンプをＩＰ再送信装置１０１ＡおよびＩＰ再送信装置１０１Ｂに通知する。ここで、制御装置１５１は、ＩＰ再送信装置１０１Ａの送信停止タイミングとＩＰ再送信装置１０１Ｂの送信開始タイミングとの間で時間調整が必要な場合、各ＩＰ再送信装置１０１へ送信するタイムスタンプを調整して異なるタイムスタンプを通知してもよい。すなわち、上記切り替えタイミングは、運用系のＩＰ再送信装置１０１および待機系のＩＰ再送信装置１０１で異なってもよい（ステップＳ１４およびＳ１６）。
【０１５８】
次に、ＩＰ再送信装置１０１ＡおよびＩＰ再送信装置１０１Ｂは、制御装置１５１からタイムスタンプの通知を受けると、ＡＣＫを制御装置１５１へ送信する（ステップＳ１５およびＳ１７）。
【０１５９】
次に、所定のタイミングすなわち制御装置１５１から通知されたタイムスタンプのタイミングにおいて、ＩＰ再送信装置１０１Ｂは、ＩＰパケット、ＳＩ情報および緊急警報の送信を停止し、待機系となる（ステップＳ１８）。
【０１６０】
また、所定のタイミングすなわち制御装置１５１から通知されたタイムスタンプのタイミングにおいて、ＩＰ再送信装置１０１Ａは、ＩＰパケット、ＳＩ情報および緊急警報の送信を開始し、運用系となる。すなわち、ＩＰ再送信装置１０１Ａは、制御装置１５１から与えられたタイミング情報に基づく処理タイミングをＩＰパケットに含めて送信する。より詳細には、ＩＰ再送信装置１０１Ａは、制御装置１５１から与えられたタイミング情報に基づいて算出した処理タイミングをＴＴＳパケットに含めて送信する（ステップＳ１９）。
【０１６１】
図１０は、本開示の実施の形態に係るＩＰ再送信システムにおける制御装置の構成を示す図である。
【０１６２】
図１０を参照して、制御装置１５１は、放送波命令部３１と、取得部３２と、情報付与部３３と、切り替え命令部３４とを備える。
【０１６３】
放送波命令部３１は、待機系のＩＰ再送信装置１０１に対して、受信する放送波の周波数を、運用系のＩＰ再送信装置１０１が受信している放送波の周波数に合わせる命令たとえば上述の運用指示を通知する。
【０１６４】
取得部３２は、たとえば上述のタイミング情報要求を送信することにより、運用系のＩＰ再送信装置１０１において生成される、各ＩＰ再送信装置１０１において取得され得る同期カウント値と、コンテンツの再生装置たとえばＩＰ−ＳＴＢ１７１における処理タイミングを示すタイムスタンプすなわちカウンタ１９Ｂのカウント値との差分Δｔを含むタイミング情報を取得する。
【０１６５】
情報付与部３３は、取得部３２によって取得されたタイミング情報を待機系のＩＰ再送信装置１０１に与える。より詳細には、情報付与部３３は、運用系のＩＰ再送信装置１０１において生成されたタイミング情報を待機系のＩＰ再送信装置１０１へ与える。
【０１６６】
切り替え命令部３４は、所定のタイミングにおいて運用系のＩＰ再送信装置１０１がコンテンツの再送信を停止し、かつ所定のタイミングにおいて待機系のＩＰ再送信装置１０１がコンテンツの再送信を開始する命令たとえば上述の切り替えタイミングを通知する。当該所定のタイミングは、たとえば上述のように処理タイミングを用いて指定されるタイミングである。
【０１６７】
［変形例］
図１１は、本開示の実施の形態に係るＩＰ再送信システムにおけるＩＰ再送信装置の変形例の構成を示す図である。
【０１６８】
図１１を参照して、ＩＰ再送信装置１０２は、図４に示すＩＰ再送信装置１０１と比べて、ＮＴＰパケット取得部２４が、時刻同期用の同期情報として、たとえば、ＩＰ再送信装置１０２の外部のＮＴＰサーバ１５６が定期的または不定期に送信するＮＴＰデータを含むパケットを取得する。
【０１６９】
より詳細には、ＮＴＰパケット取得部２４は、ＮＴＰサーバ１５６から定期的または不定期に送信された当該パケットをたとえばネットワークを介して受信し、受信したパケットを換算部２５へ出力する。
【０１７０】
換算部２５は、ＮＴＰパケット取得部２４から受けたパケットに含まれるＮＴＰデータからＮＴＰ長形式の協定世界時を取得する。そして、換算部２５は、取得した協定世界時を用いて、カウンタ１９Ａに対して時刻合わせを行う。
【０１７１】
なお、本開示の実施の形態に係るＩＰ再送信システムでは、同期カウント値のカウント周波数およびタイムスタンプのカウント周波数が異なる構成であるとしたが、これに限定するものではない。ＩＰ再送信システム３０１において、同期カウント値のカウント周波数およびタイムスタンプのカウント周波数が同じ周波数であってもよい。
【０１７２】
また、本開示の実施の形態に係るＩＰ再送信システムでは、高度広帯域衛星デジタル放送等の放送波が用いられる構成であるとしたが、これに限定するものではない。ＩＰ再送信システム３０１において、同期情報としてＮＴＰデータを含む高度広帯域衛星デジタル放送以外の放送波が用いられる構成であってもよい。
【０１７３】
また、本発明の実施の形態に係るＩＰ再送信システムでは、ＩＰ再送信装置１０１は、ＴＬＶ格納ＴＴＳパケットをＩＰパケットに含めて送信する構成であるとしたが、これに限定するものではない。ＩＰ再送信システム３０１において、ＩＰ再送信装置１０１は、ＴＬＶ格納ＴＴＳパケットとは異なる種類のパケットであってタイムスタンプが付加されたパケットを、ＩＰパケットに含めて送信する構成であってもよい。
【０１７４】
ところで、運用系および予備系の複数の配信装置が設けられる放送システムにおいて、配信装置は、パケットを処理すべきタイミングの情報を当該パケットに含めて送信する場合がある。運用系の配信装置の保守交換を行う状況において、たとえば、２４時間放送が行われる場合、放送出力を停止することは困難である。このため、運用系の配信装置の保守交換等のために当該配信装置の出力を停止し、予備系の配信装置へ配信を切り替える必要があり、再生装置が受信するパケットに含まれる上記情報が乱れると、コンテンツを良好に再生することが困難となる。
【０１７５】
これに対して、本開示の実施の形態に係るＩＰ再送信システムでは、複数のＩＰ再送信装置１０１は、放送波を受信し、放送波に含まれるコンテンツをＩＰパケットに含めて再送信する。本開示の実施の形態に係る切り替え方法では、コンテンツの再送信を運用系のＩＰ再送信装置１０１から待機系のＩＰ再送信装置１０１へ切り替える切り替え方法である。まず、運用系のＩＰ再送信装置１０１が受信している放送波の周波数に待機系のＩＰ再送信装置１０１が受信する放送波の周波数を合わせる。次に、運用系のＩＰ再送信装置１０１において生成される情報である、各ＩＰ再送信装置１０１において取得され得る時刻同期用の同期情報に基づく同期カウント値と、コンテンツの再生装置における処理タイミングを示すタイムスタンプとの差分Δｔを含むタイミング情報を待機系のＩＰ再送信装置１０１に与える。次に、所定のタイミングにおいて、運用系のＩＰ再送信装置１０１から待機系のＩＰ再送信装置１０１へコンテンツの再送信を切り替える。次に、切り替え先のＩＰ再送信装置１０１が、与えられたタイミング情報に基づく処理タイミングをＩＰパケットに含めて送信する。
【０１７６】
このような方法により、運用系のＩＰ再送信装置１０１の出力停止のタイミングおよび待機系のＩＰ再送信装置１０１の出力開始のタイミングを単に合わせて切り替える場合と比べて、再生装置において、切り替え先のＩＰ再送信装置１０１から伝送されるＩＰパケットを安定して処理し、コンテンツを良好に再生することが可能となる。また、各ＩＰ再送信装置１０１において取得され得る同期情報を用いる方法により、運用系のＩＰ再送信装置１０１から待機系のＩＰ再送信装置へのタイミング情報の伝送遅延による影響を回避することができる。
【０１７７】
したがって、本開示の実施の形態に係る切り替え方法では、コンテンツの送信装置を切り替え可能な構成において、再生装置における安定したコンテンツ再生を実現することができる。
【０１７８】
また、本開示の実施の形態に係る切り替え方法では、同期カウント値のカウント周波数およびタイムスタンプのカウント周波数が異なる。タイミング情報は、さらに、差分Δｔの算出元である同期カウント値を含む。本開示の実施の形態に係る切り替え方法は、さらに、切り替え先のＩＰ再送信装置１０１が、タイミング情報に含まれる差分Δｔおよび同期カウント値と、自己が取得した同期情報に基づくカウント値とに基づいて、処理タイミングを算出する。
【０１７９】
このような方法により、同期カウント値およびタイムスタンプの周波数が異なるシステムにおいて、運用系のＩＰ再送信装置１０１におけるタイムスタンプおよび待機系のＩＰ再送信装置におけるタイムスタンプのタイミングを容易に合わせることができる。
【０１８０】
また、本開示の実施の形態に係る切り替え方法では、同期情報は、放送波に含まれるＮＴＰデータである。処理タイミングは、ＴＬＶ格納ＴＴＳに含まれるタイムスタンプである。
【０１８１】
このような方法により、高度広帯域衛星デジタル放送を、ＩＰ網４０１を介して加入者宅へ送信するＩＰ再送信サービスを行うシステムにおいて、ＮＴＰデータを有効に活用し、切り替え先のＩＰ再送信装置１０１から伝送されるＩＰパケットを安定して処理し、コンテンツを良好に再生することが可能となる。
【０１８２】
また、本開示の実施の形態に係るＩＰ再送信システムでは、複数のＩＰ再送信装置１０１は、分配器１５２から同じ放送波を受信し、当該放送波に含まれるコンテンツをＩＰパケットに含めて再送信する。Ｌ３スイッチ１５５は、各ＩＰ再送信装置１０１から出力されるＩＰパケットを中継してネットワークへ送信する。待機系のＩＰ再送信装置１０１は、受信する放送波の周波数を、運用系のＩＰ再送信装置１０１が受信している放送波の周波数に合わせる。待機系のＩＰ再送信装置１０１は、運用系のＩＰ再送信装置１０１において生成される情報である、各ＩＰ再送信装置１０１において取得され得る時刻同期用の同期情報に基づく同期カウント値と、コンテンツの再生装置における処理タイミングを示すタイムスタンプとの差分Δｔを含むタイミング情報を制御装置１５１を介して取得する。制御装置１５１は、コンテンツの再送信の切り替えとして、運用系のＩＰ再送信装置１０１に所定のタイミングにおいてコンテンツの再送信を停止させ、待機系のＩＰ再送信装置１０１に所定のタイミングにおいてコンテンツの再送信を開始させ、切り替え先のＩＰ再送信装置１０１は、与えられたタイミング情報に基づく処理タイミングをＩＰパケットに含めて送信する。
【０１８３】
このような構成により、運用系のＩＰ再送信装置１０１の出力停止のタイミングおよび待機系のＩＰ再送信装置１０１の出力開始のタイミングを単に合わせて切り替える場合と比べて、再生装置において、切り替え先のＩＰ再送信装置１０１から伝送されるＩＰパケットを安定して処理し、コンテンツを良好に再生することが可能となる。また、各ＩＰ再送信装置１０１において取得され得る同期情報を用いる構成により、運用系のＩＰ再送信装置１０１から待機系のＩＰ再送信装置へのタイミング情報の伝送遅延による影響を回避することができる。
【０１８４】
したがって、本開示の実施の形態に係るＩＰ再送信システムでは、コンテンツの送信装置を切り替え可能な構成において、再生装置における安定したコンテンツ再生を実現することができる。
【０１８５】
また、本開示の実施の形態に係るＩＰ再送信装置では、制御部１８は、各ＩＰ再送信装置１０１において取得され得る時刻同期用の同期情報に基づく同期カウント値と、コンテンツの再生装置における処理タイミングを示すタイムスタンプとの差分Δｔを含むタイミング情報を生成する。制御部１８は、生成したタイミング情報を他のＩＰ再送信装置１０１に通知する。制御部１８は、他のＩＰ再送信装置１０１から通知されたタイミング情報を取得する。パケット処理部２２は、制御部１８によって取得されたタイミング情報に基づく処理タイミングを含むＩＰパケットを生成して送信する。
【０１８６】
このような構成により、運用系のＩＰ再送信装置１０１の出力停止のタイミングおよび待機系のＩＰ再送信装置１０１の出力開始のタイミングを単に合わせて切り替える場合と比べて、再生装置において、切り替え先のＩＰ再送信装置１０１から伝送されるＩＰパケットを安定して処理し、コンテンツを良好に再生することが可能となる。また、各ＩＰ再送信装置１０１において取得され得る同期情報を用いる構成により、運用系のＩＰ再送信装置１０１から待機系のＩＰ再送信装置へのタイミング情報の伝送遅延による影響を回避することができる。
【０１８７】
したがって、本開示の実施の形態に係るＩＰ再送信装置では、コンテンツの送信装置を切り替え可能な構成において、再生装置における安定したコンテンツ再生を実現することができる。
【０１８８】
また、本開示の実施の形態に係る制御装置では、放送波命令部３１は、待機系のＩＰ再送信装置１０１に対して、受信する放送波の周波数を、運用系のＩＰ再送信装置１０１が受信している放送波の周波数に合わせる運用指示を通知する。取得部３２は、運用系のＩＰ再送信装置１０１において生成される情報である、各ＩＰ再送信装置１０１において取得され得る時刻同期用の同期情報に基づく同期カウント値と、コンテンツの再生装置における処理タイミングを示すタイムスタンプとの差分Δｔを含むタイミング情報を取得する。情報付与部３３は、取得部３２によって取得されたタイミング情報を待機系のＩＰ再送信装置１０１に与える。切り替え命令部３４は、所定のタイミングにおいて運用系のＩＰ再送信装置１０１がコンテンツの再送信を停止し、かつ所定のタイミングにおいて待機系のＩＰ再送信装置１０１がコンテンツの再送信を開始する命令を通知する。
【０１８９】
このような構成により、運用系のＩＰ再送信装置１０１の出力停止のタイミングおよび待機系のＩＰ再送信装置１０１の出力開始のタイミングを単に合わせて切り替える場合と比べて、再生装置において、切り替え先のＩＰ再送信装置１０１から伝送されるＩＰパケットを安定して処理し、コンテンツを良好に再生することが可能となる。また、各ＩＰ再送信装置１０１において取得され得る同期情報を用いる構成により、運用系のＩＰ再送信装置１０１から待機系のＩＰ再送信装置へのタイミング情報の伝送遅延による影響を回避することができる。
【０１９０】
したがって、本開示の実施の形態に係る制御装置では、コンテンツの送信装置を切り替え可能な構成において、再生装置における安定したコンテンツ再生を実現することができる。
【０１９１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１９２】
以上の説明は、以下に付記する特徴を含む。
［付記１］
分配器から同じ放送波を受信し、前記放送波に含まれるコンテンツをＩＰパケットに含めて再送信する複数のＩＰ再送信装置と、
制御装置とを備え、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記待機系のＩＰ再送信装置は、前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を前記制御装置を介して取得し、
前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、
切り替え先の前記ＩＰ再送信装置は、与えられた前記タイミング情報に基づく前記処理タイミングを前記ＩＰパケットに含めて送信し、
前記第２のカウント値は、前記ＩＰ再送信装置における高確度発振器により生成されたクロックのタイミングに従って動作するカウンタのカウント値であり、
前記待機系のＩＰ再送信装置は、取得した前記タイミング情報に基づいて前記第２のカウント値を補正し、
前記ＩＰ再送信装置は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、ＩＰ再送信システム。
【０１９３】
［付記２］
放送波を受信し、前記放送波に含まれるコンテンツをＩＰパケットに含めて再送信するＩＰ再送信システムにおけるＩＰ再送信装置であって、
各前記ＩＰ再送信装置において取得され得る時刻同期用の同期情報に基づく第１のカウント値と、前記コンテンツの再生装置における処理タイミングを示す第２のカウント値との差分を含むタイミング情報を生成するタイミング情報生成部と、
前記タイミング情報生成部によって生成された前記タイミング情報を他の前記ＩＰ再送信装置に通知する通知部と、
他の前記ＩＰ再送信装置から通知された前記タイミング情報を取得する取得部と、
前記取得部によって取得された前記タイミング情報に基づく前記処理タイミングを含む前記ＩＰパケットを生成して送信するパケット処理部とを備え、
前記第２のカウント値は、前記ＩＰ再送信装置における高確度発振器により生成されたクロックのタイミングに従って動作するカウンタのカウント値であり、
前記パケット処理部は、取得した前記タイミング情報に基づいて前記第２のカウント値を補正し、
前記パケット処理部は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、ＩＰ再送信装置。
【０１９４】
［付記３］
放送波を受信し、前記放送波に含まれるコンテンツをＩＰパケットに含めて再送信する複数のＩＰ再送信装置を備えるＩＰ再送信システムにおける制御装置であって、
待機系の前記ＩＰ再送信装置に対して、受信する放送波の周波数を、運用系の前記ＩＰ再送信装置が受信している放送波の周波数に合わせる命令を通知する放送波命令部と、
前記運用系のＩＰ再送信装置において生成される情報である、各前記ＩＰ再送信装置において取得され得る時刻同期用の同期情報に基づく第１のカウント値と、前記コンテンツの再生装置における処理タイミングを示す第２のカウント値との差分を含むタイミング情報を取得する取得部と、
前記取得部によって取得された前記タイミング情報を前記待機系のＩＰ再送信装置に与える情報付与部と、
所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備え、
前記第２のカウント値は、前記ＩＰ再送信装置における高確度発振器により生成されたクロックのタイミングに従って動作するカウンタのカウント値であり、
前記待機系のＩＰ再送信装置は、前記情報付与部によって与えられた前記タイミング情報に基づいて前記第２のカウント値を補正し、
前記ＩＰ再送信装置は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、制御装置。
【符号の説明】
【０１９５】
１１  チューナ
１７  ＩＰ変換部
１８  制御部（タイミング情報生成部、通知部および取得部）
１９Ａ，１９Ｂ  カウンタ
２０  スイッチ回路
２１  高確度発振器
２２  パケット処理部
２３  逓倍回路
２４  ＮＴＰパケット取得部
２５  換算部
２６  削除部
２７  ＴＳ化部
２８  ＴＴＳ化部
３１  放送波命令部
３２  取得部
３３  情報付与部
３４  切り替え命令部
８１  アンテナ
１０１，１０２  ＩＰ再送信装置
１５１  制御装置
１５２  分配器
１５３  Ｌ２スイッチ
１５５  Ｌ３スイッチ
１５６  ＮＴＰサーバ
１６１  全局ＳＩサーバ
１６２  緊急警報サーバ
３０１  ＩＰ再送信システム
４０１  ＩＰ網
１７１  ＩＰ−ＳＴＢ
１７２  ＴＶ
３０１  ＩＰ再送信システム
【図１】
2020170914.tif 000003
【図２】
2020170914.tif 000004
【図３】
2020170914.tif 000005
【図４】
2020170914.tif 000006
【図５】
2020170914.tif 000007
【図６】
2020170914.tif 000008
【図７】
2020170914.tif 000009
【図８】
2020170914.tif 000010
【図９】
2020170914.tif 000011
【図１０】
2020170914.tif 000012
【図１１】
2020170914.tif 000013